(57)【要約】【課題】挿抜部に対する装置本体の挿抜の簡易化や操作性を高めることにある。【解決手段】装置本体（タブレット本体４）を挿抜させる挿抜部（８）と、前記装置本体が押し下げられることにより前記挿抜部に前記装置本体をロックするロック機構（１８）と、前記ロック機構のロック解除により前記装置本体を押し上げて前記挿抜部に支持させる押上げ機構（２２）とを備え、装置本体の挿抜の簡易化とともに操作性を高めることができる。【選択図】図３
2015046029.tif 000002
【特許請求の範囲】
【請求項１】
装置本体を挿抜させる挿抜部と、
前記装置本体が押し下げられることにより前記挿抜部に前記装置本体をロックするロック機構と、
前記ロック機構のロック解除により前記装置本体を押し上げて前記挿抜部に支持させる押上げ機構と、
を備えることを特徴とする情報処理装置。
【請求項２】
前記押上げ機構は、前記挿抜部に備えたコネクタから前記装置本体が受ける押上げ力と並行して前記装置本体にバネ力を作用させることにより、前記装置本体を押し上げることを特徴とする請求項１に記載の情報処理装置。
【請求項３】
前記ロック機構は、バネ力によりロック位置に移動して前記装置本体をロックするロックバーを備え、
前記ロックバーを前記バネ力に抗して前記ロック位置からロック解除位置に移動させてロックを解除するロック解除機構と、
を備えることを特徴とする請求項１または請求項２に記載の情報処理装置。
【請求項４】
前記ロック解除機構は、前記ロック機構のロックを解除する際に操作する操作部を備え、該操作部を、前記挿抜部に前記装置本体がロックされている場合にロック位置に保持し、前記挿抜部に前記装置本体が無い場合またはロックされていない場合にロック解除位置に保持することを特徴とする請求項３に記載の情報処理装置。
【請求項５】
前記挿抜部は、前記装置本体の機能を拡張する拡張装置に備えたことを特徴とする請求項１ないし請求項４のいずれかの請求項に記載の情報処理装置。
【請求項６】
前記挿抜部は、前記装置本体を前記挿抜部に支持する支持壁を備えることを特徴とする請求項１ないし請求項５のいずれかの請求項に記載の情報処理装置。
【請求項７】
前記装置本体はタブレットＰＣであり、前記挿抜部は該タブレットＰＣを挿抜させるクレードルに備えることを特徴とする請求項１ないし請求項６のいずれかの請求項に記載の情報処理装置。
【発明の詳細な説明】
【技術分野】
【０００１】
本開示の技術は、タブレットＰＣなどの情報処理装置に関する。
【背景技術】
【０００２】
タブレットＰＣなどの情報処理装置では、タブレットＰＣが備える機能を拡張する拡張技術が普及している。この拡張技術には装置本体を挿抜させる拡張装置としてたとえば、クレードルがある。クレードルは、コネクタを備えて装置本体との電気的な接続を確立させ、クレードルからの情報入力や、装置本体側のバッテリの充電などが行われる。
【０００３】
このような拡張技術に関し、挿抜される装置本体の押下げにより、スライドバーが移動して接続端子と電気的な接続を行うことが知られている（特許文献１）。
【先行技術文献】
【特許文献】
【０００４】
【特許文献１】特開２００７−１９４７４３号公報
【発明の概要】
【発明が解決しようとする課題】
【０００５】
ところで、クレードルと装置本体との挿抜には電気的な接続およびその接続解除とともに、機械的なロックおよびそのロック解除が含まれる。
【０００６】
電気的な接続にはコネクタが用いられ、コネクタによる接続やその接続解除では接点部の接触やその接触解除が不十分であれば、過電流による支障を来す場合がある。コネクタに対する結合状態が不均衡となれば、装置本体が傾き、装置本体がコネクタに引っ掛かり、取り外し難い場合がある。
【０００７】
ロック機構を備えた場合には、ロック機構を外しながら装置本体を持ち上げるなど、複数の操作を連続的に行うことが必要となりたとえば、片手での挿抜操作が困難であるという課題があった。
【０００８】
そこで、本開示の技術の目的は、上記課題に鑑み、装置本体の挿抜の簡易化や操作性を高めることにある。
【課題を解決するための手段】
【０００９】
上記目的を達成するため、本開示の技術によれば、一例として挿抜部、ロック機構および押上げ機構が提供される。挿抜部では装置本体を挿抜させる。ロック機構は、装置本体の押し下げにより装置本体をロックする。押上げ機構は、ロック状態の解除により、前記装置本体を押し上げ、装置本体を挿抜部に支持させる。
【発明の効果】
【００１０】
本開示の技術によれば、挿抜部に対する装置本体の挿抜が簡易化され、片手操作による挿抜など、挿抜の操作性が高められる。
【００１１】
そして、本開示の技術の他の目的、特徴および利点は、添付図面および各実施の形態を参照することにより、一層明確になるであろう。
【図面の簡単な説明】
【００１２】
【図１】第１の実施の形態に係るクレードルおよびタブレット本体を示す斜視図である。
【図２】タブレット本体が装着されたクレードルを示す斜視図である。
【図３】クレードルの機構の一例を示すブロック図である。
【図４】クレードルの機能を示すフローチャートである。
【図５】タブレット本体を示す斜視図である。
【図６】クレードルの挿抜部を示す斜視図である。
【図７】クレードルの挿抜部を分解して示す斜視図である。
【図８】ロックバーを示す図である。
【図９】コネクタおよびその機能の一例を示す図である。
【図１０】タブレット本体の装着前の状態を示す図である。
【図１１】ロック機構のロック前状態を拡大して示す図である。
【図１２】クレードルにタブレット本体を装着した状態を示す図である。
【図１３】ロック機構のロック状態を拡大して示す図である。
【図１４】エジェクト操作前のエジェクト機構を示す断面図である。
【図１５】エジェクト操作後のエジェクト機構を示す断面図である。
【図１６】押上げ機構を示す斜視図である。
【図１７】押し上げ前の押上げ部の状態を示す断面図である。
【図１８】押し上げ後の押上げ部の状態を示す断面図である。
【図１９】押し上げられたタブレット本体および挿抜部を示す図である。
【図２０】エジェクタボタンの操作を示す斜視図である。
【図２１】クレードルからタブレット本体の取り外し操作を示す斜視図である。
【図２２】第２の実施の形態に係るクレードルおよびタブレット本体を示す図である。
【発明を実施するための形態】
【００１３】
〔第１の実施の形態〕
【００１４】
図１は、第１の実施の形態に係るクレードルおよびタブレット本体を示している。クレードル２は、本開示の情報処理装置の一例である。クレードル２はタブレット本体４の機能を拡張する拡張装置の一例である。タブレット本体４はクレードル２に挿抜される装置本体の一例であり、たとえば、タブレットＰＣである。
【００１５】
クレードル２には、本体部６および挿抜部８が備えられる。本体部６は平板状の筐体を備え、プロセッサやメモリなどを含み、情報処理機能を備えている。挿抜部８には矢印Ａに示す方向にタブレット本体４の挿抜が可能である。この本体部６の上面にはキーボード１０が設置されている。キーボード１０の操作入力は、挿抜部８に装着されたタブレット本体４に伝達される。これにより、タブレット本体４では情報処理機能によりクレードル２を媒介とした情報処理が行われる。
【００１６】
図２は、タブレット本体４が装着されたクレードル２を示している。挿抜部８は、本体部６の縁部にヒンジ部１２を介して矢印Ｂで示すように回動可能である。したがって、この挿抜部８に装着されたタブレット本体４は、挿抜部８の回動により、本体部６に対して開閉可能である。
【００１７】
タブレット本体４には表示部１４が備えられている。この表示部１４はたとえば、ＬＣＤ（Liquid Crystal Display）であり、視認情報の表示を行う。この表示部１４の上面にはタッチパネル１６が設置される。このタッチパネル１６では指やスタイラスペンによるタッチで情報入力が行える。
【００１８】
＜クレードル２の機構および機能＞
【００１９】
図３は、クレードル２が備える機構の一例を示している。このクレードル２の機構には、ロック機構１８、エジェクト機構２０および押上げ機構２２が含まれる。
【００２０】
ロック機構１８は、挿抜部８にタブレット本体４を押し下げることにより、挿抜部８にタブレット本体４をロックする。これにより、タブレット本体４がクレードル２に機械的に結合されるとともに、電気的に接続される。
【００２１】
エジェクト機構２０は、ロック機構１８のロック解除機構の一例である。このエジェクト機構２０は、挿抜部８の前面にエジェクトボタン２４（図１）を備える。このエジェクトボタン２４は操作部の一例である。このエジェクトボタン２４のプッシュ操作により、タブレット本体４のロックが解除される。エジェクトボタン２４は一例として、たとえば、タブレット本体４のロック状態で突出状態で維持され、ロック状態からロック解除状態への遷移により突出状態から後退状態で維持される。
【００２２】
押上げ機構２２は、ロックが解除されたタブレット本体４をロック位置から取出し位置に押し上げ、挿抜部８の取出し位置にタブレット本体４を保持させる。
【００２３】
図４のＡおよびＢは、クレードル２の機能の一例を示している。この機能にはタブレット本体４のロック機能、押上げ機能、ロック解除機能が含まれる。
【００２４】
(1) クレードル２にタブレット本体４を装着する場合
【００２５】
クレードル２にタブレット本体４を装着する場合には図４のＡに示すように、挿抜部８の挿抜位置にタブレット本体４の位置を合わせ（Ｓ１１）、挿抜部８に位置決めしたタブレット本体４を押し下げる（Ｓ１２）。これにより、挿抜部８にロック機構１８によりタブレット本体４がロック状態になる（Ｓ１３）。
【００２６】
このとき、エジェクト機構２０のエジェクトボタン２４はロック解除位置からロック位置に突出し、待機状態となる（Ｓ１４）。この場合、ロック解除位置はたとえば、後退した状態であり、ロック位置はロック解除操作の準備位置として突出状態となる。つまり、エジェクトボタン２４によるロック操作は不要であるため、ロック解除位置では後退位置に設定される。
【００２７】
(2) クレードル２からタブレット本体４を外す場合
【００２８】
クレードル２からタブレット本体４を外す場合には図４のＢに示すように、突出状態にあるエジェクトボタン２４をプッシュし、後退させる（Ｓ２１）。これにより、タブレット本体４はエジェクト機構２０のロック解除機能により、ロック機構１８のロックが解除される。そして、押上げ機構２２によりタブレット本体４がロック位置から取出し位置まで押し上げられる（Ｓ２２）。これにより、挿抜部８の取出し位置にタブレット本体４が保持され、待機状態となる。このとき、プッシュされたエジェクトボタン２４は後退位置で待機する（Ｓ２３）。
【００２９】
＜タブレット本体４＞
【００３０】
図５は、クレードル２から外されたタブレット本体４を示している。タブレット本体４はクレードル２から独立した状態で情報処理を行うことができる。この情報処理には通信が含まれる。このタブレット本体４の本体フレーム２６には、一対のフック係合孔２８−１、２８−２、ガイド挿入孔３０−１、３０−２、導音孔３２−１、３２−２が形成されている。本体フレーム２６の中間部には単一または複数のコネクタ部３４が設置されている。
【００３１】
フック係合孔２８−１にはロック機構１８のフック３６−１（図７）が着脱される。フック係合孔２８−２にはロック機構１８のフック３６−２（図７）が着脱される。これらフック３６−１、３６−２により、挿抜部８にタブレット本体４がロックされる。ガイド挿入孔３０−１には挿抜部８のガイドピン３８−１（図７）が着脱される。ガイド挿入孔３０−２には挿抜部８のガイドピン３８−２（図７）が着脱される。コネクタ部３４には挿抜部８側のコネクタ４０が着脱される。導音孔３２−１には挿抜部８側の導音部４２−１が当接される。導音孔３２−２には挿抜部８側の導音部４２−２が当接される。
【００３２】
＜挿抜部８＞
【００３３】
図６は、挿抜部８を示している。挿抜部８には支持ベース４４が備えられ、この支持ベース４４は、挿抜部８に装着されたタブレット本体４の長辺部の形状に合致した湾曲面部を備えている。この支持ベース４４には、挿抜部８内に押下げられたブレット本体４が載置され、タブレット本体４の本体フレーム２６が当接し支持される。
【００３４】
この支持ベース４４の前面側には前面支持壁４６−１が立設され、その背面側には背面支持壁４６−２が立設されている。前面支持壁４６−１および背面支持壁４６−２は、タブレット本体４の厚みに対応した間隔を備えており、たとえば、平行に配置されている。挿抜部８に装着されたタブレット本体４はこれらの間隔内に設置され、前面側を前面支持壁４６−１で支持され、背面側を背面支持壁４６−２で支持される。この実施の形態では、タブレット本体４の背面側支持の安定化を図るため、背面支持壁４６−２が前面支持壁４６−１より高く設置されている。
【００３５】
支持ベース４４には、一対のフック３６−１、３６−２、ガイドピン３８−１、３８−２、コネクタ４０、押上げ機構２２の押上げ部４８、放音部５０−１、５０−２が備えられている。
【００３６】
コネクタ４０はタブレット本体４のコネクタ部３４と電気的な接続を行うとともに、たとえば、バネ力によりコネクタ部３４側を押し上げる機能を備えている。つまり、挿抜部８に装着されたタブレット本体４のロックが解除された際には、それに応じてタブレット本体４がコネクタ４０により押上げられる。
【００３７】
押上げ部４８は、挿抜部８に対するタブレット本体４のロック状態が解除された場合にロック解除位置に突出する。この突出により、挿抜部８から離脱ないし挿抜可能にタブレット本体４が押し上げられる。コネクタ４０および押上げ部４８の各押上げ力がタブレット本体４の幅方向でバランスしており、しかも、コネクタ４０および押上げ部４８の各押上げ幅が同一である。これにより、タブレット本体４は挿抜部８の支持ベース４４に平行状態に押し上げられる。
【００３８】
導音部４２−１、４２−２にタブレット本体４の導音孔３２−１、３２−２から導かれたスピーカ再生音が放音部５０−１、５０−２から放音される。
【００３９】
前面支持壁４６−１にはフック３６−１側にエジェクトボタン２４が進退可能に設置されている。このエジェクトボタン２４の設置位置はフック３６−２側でもよいし、前面支持壁４６−１の中央部であってもよい。
【００４０】
図７は、前面支持壁４６−１を省略した挿抜部８を分解して示している。支持ベース４４には、上側ベース部４４−１および下側ベース部４４−２が設置され、これらが挿抜方向に間隔を備えて配置されている。
【００４１】
上側ベース部４４−１には一対のガイドピン３８−１、３８−２が立設されているとともに、窓部５２−１、５２−２、５４およびコネクタ取付け孔５６が形成されている。各ガイドピン３８−１、３８−２はたとえば、先端側を細くし台形状の案内面を備える突出部である。このような形状により、タブレット本体４のガイド挿入孔３０−１、３０−２と各ガイドピン３８−１、３８−２の挿抜が容易化されている。
【００４２】
上側ベース部４４−１と下側ベース部４４−２との間にはロック機構１８のロックバー５８が長手方向に移動可能に設置されている。
【００４３】
上側ベース部４４−１の窓部５２−１にはフック３６−１が移動可能に配置され、窓部５２−２にはフック３６−２が移動可能に配置される。窓部５４には押上げ部４８が進退可能に配置される。
【００４４】
コネクタ取付け孔５６にはコネクタ４０が配置される。このコネクタ４０は上側ベース部４４−１に固定ネジなどにより固定される。
【００４５】
ロック機構１８にはロックバー５８、バネ６０−１、６０−２、６０−３が含まれている。各バネ６０−１、６０−２、６０−３の一端がロックバー５８に固定され、その他端が背面支持壁４６−２に支柱６２を介して固定されている。各支柱６２は、ロックバー５８に形成された窓部６４から挿通させた先端部にバネ６０−１、６０−２、６０−３の他端を固定している。つまり、各バネ６０−１、６０−２、６０−３の復元力がロックバー５８に対してロック方向に作用している。つまり、バネ力によりロックバー５８の各フック３６−１、３６−２をロック位置に移動させる。
【００４６】
ロックバー５８に備えられたストッパ６６は、ロックの際、押上げ機構２２の押上げレバー６８の先端に当たる。これにより、ロックバー５８とともにフック３６−１、３６−２をロック位置に停止させる。
【００４７】
エジェクト機構２０にはエジェクトボタン２４、ロックバー５８、支持軸７０およびスライド部７２、７３が含まれる。支持軸７０は背面支持壁４６−２に支持されて上側ベース部４４−１および下側ベース部４４−２の間隔内に突出し、フックバー５８の窓部７４を貫通している。この支持軸７０にはエジェクトボタン２４が進退可能に設置される。スライド部７２はエジェクトボタン２４の背面に設置され、スライド部７３がロックバー５８に設置されている。
【００４８】
押上げ機構２２には、押上げレバー６８および押上げバネ７６が含まれる。押上げレバー６８には押上げ部４８と反対位置に支点部７８が備えられ、この支点部７８が上側ベース部４４−１の支持部８０に支持されている。この押上げレバー６８の下面側には押上げバネ７６が設置され、この復元力が押上げレバー６８を押上げ方向に作用している。
【００４９】
＜ロックバー５８＞
【００５０】
図８は、ロックバー５８を示している。このロックバー５８はたとえば、剛性の高い金属板を板金加工して形成されている。このロックバー５８の端部にはフック３６−１、３６−２が一体に形成されている。
【００５１】
フック３６−１、３６−２にはロックバー５８の上縁から直交方向に突出させた基部８４が備えられる。この基部８４の先端部にはタブレット本体４のロック方向に突出した鉤部８６が備えられる。この鉤部８６がタブレット本体４のフック係合孔２８−１、２８−２に挿入されて係合し、挿抜部８にタブレット本体４をロックする。
【００５２】
ロックバー５８に形成された各窓部６４、７４は、ロックバー５８のロック方向およびその解除方向への移動を許容するため、長径孔である。
【００５３】
各窓部６４の近傍には、バネ６０−１、６０−２、６０−３の一端が固定されるバネ固定部８８が形成されている。また、各スライド部７３のスライド片７３−１、７３−２が設置されている。
【００５４】
＜コネクタ４０＞
【００５５】
図９のＡは、コネクタ４０を示している。このコネクタ４０はコネクタ筐体９０に複数のコネクタピン９２を進退可能に備え、コネクタピン９２を挟んで一対のガイドピン９４を備えている。
【００５６】
図９のＢは、各コネクタピン９２の押上げ機構９６を示している。コネクタ筐体９０にはコネクタピン９２を上下方向に摺動可能に支持するコネクタピン支持部９８が形成されている。このコネクタピン支持部９８にはコネクタピン９２が進退可能に支持されている。各コネクタピン９２にはバネ１００が備えられ、このバネ１００がコネクタ筐体９０に伸縮可能に収納されている。このバネ１００の復元力がコネクタピン９２に対し、その進出方向に作用している。バネ１００は、コネクタピン９２とコネクタ部３４との接点間接続を維持するとともに、コネクタ部３４を押し上げるバネ力を備える。
【００５７】
図９のＣにおいて、左図は各コネクタピン９２とコネクタ部３４の接触状態（タブレット本体４の接続時）を示し、右図は各コネクタピン９２のコネクタ部３４の押上げ状態（タブレット本体４の押上げ時）を示している。挿抜部８にタブレット本体４とともにコネクタ部３４が矢印Ｃ方向（図９のＢ）に押し下げられると、コネクタ部３４がコネクタ４０のコネクタピン９２に当たり、コネクタピン９２はコネクタ筐体９０側に後退する。挿抜部８にタブレット本体４がロック状態にあれば、コネクタピン９２に対し、押上げ機構９６のバネ１００からコネクタピン９２を押し上げる矢印Ｄ方向にバネ力が作用し、コネクタピン９２がコネクタ部３４に押し付けられる。これにより、コネクタ部３４とコネクタ４０の電気的な接続が維持される。
【００５８】
そして、タブレット本体４のロックが解除されると、このコネクタ４０の押上げ機構９６に対する負荷は、タブレット本体４からの重量のみとなる。この場合、押上げ機構９６のバネ１００のバネ力がタブレット本体４の重量に打ち勝つので、図９のＣの右図に示すように、コネクタ部３４が押し上げられ、これによりタブレット本体４が押し上げられる。
【００５９】
＜ロック機構１８およびその動作＞
【００６０】
図１０は、ロック機構１８のロック前状態を示している。図１１は、フック３６−１側のロック前の状態を拡大して示している。このロック前状態はロック解除状態である。
【００６１】
このロック解除状態の挿抜部８では、ロックバー５８がロック位置から後退している。このため、フック３６−１はガイドピン３８−１から離れ、これに対し、フック３６−２はガイドピン３８−２に近づいた状態となる。
【００６２】
このとき、各バネ６０−１、６０−２、６０−３は伸長状態となり、バネ６０−１、６０−２、６０−３のバネ力がロックバー５８に作用している。そして、押上げ機構２２の押上げレバー６８は押上げバネ７６により押し上げられる。この押上げレバー６８にはロックバー５８のストッパ６６が当たり、ロックバー５８はロック解除位置に維持され、その移動が阻止されている。
【００６３】
ロックバー５８のストッパ６６が押上げレバー６８に当たり、ロックバー５８のバネ６０−１、６０−２、６０−３による移動が阻止されている。つまり、ロック待機状態に維持されている。
【００６４】
図１２は、ロック機構１８のロック状態を示している。図１３は、フック３６−１側のロック状態を拡大して示している。挿抜部８に対し、タブレット本体４を挿抜位置に位置決めし、挿抜部８側に押し下げると、タブレット本体４はロック機構１８によりロックされる。
【００６５】
このロック状態では、押上げレバー６８からロックバー５８のストッパ６６が外れ、バネ６０−１、６０−２、６０−３のバネ力を受け、ロックバー５８はロック位置に移動し、ロック状態が維持される。
【００６６】
押上げ機構２２の押上げ部４８は押し下げられ、押上げバネ７６の圧縮状態で維持される。この場合、コネクタ４０のコネクタピン９２もコネクタ筐体９０側に後退した状態で維持される。押上げ部４８は上側ベース部４４−１の上面内に後退する。
【００６７】
＜エジェクト機構２０およびその動作＞
【００６８】
図１４は、エジェクト機構２０のエジェクトボタン２４の突出状態を示している。この状態は、挿抜部８にタブレット本体４が装着された状態である。
【００６９】
前面支持壁４６−１にはエジェクトボタン２４の支持孔１０２が形成されている。この支持孔１０２にはエジェクトボタン２４が前面支持壁４６−１の前後方向に摺動可能に設置されている。このエジェクトボタン２４にはフランジ部１０４が備えられ、このフランジ部１０４が支持孔１０２の周囲部に当たり、前方方向への摺動を規制している。
【００７０】
エジェクトボタン２４の背面側には支持突部１０６が形成されている。この支持突部１０６は、挿抜部８側の支持軸７０と同一軸上に設置されている。この支持突部１０６には摺動ピン１０８が形成されている。この摺動ピン１０８が支持軸７０の中心にある摺動孔１１０に摺動可能に挿入されている。支持突部１０６には支持軸７０に固定されているコイルバネ１１２が装着され、コイルバネ１１２の復元力を支持突部１０６に作用させている。これにより、エジェクトボタン２４が前後方向に摺動可能に支持されているとともに、コイルバネ１１２のバネ力により突出状態に維持されている。
【００７１】
このエジェクトボタン２４の背面にはスライド部７２のスライド片７２−１、７２−２が設置されている。スライド部７２はロックバー５８側のスライド部７３に対応しており、各スライド片７２−１、７２−２およびスライド片７３−１、７３−２は同一方向の傾斜面を備えている。スライド片７２−１にはスライド片７３−１、スライド片７２−２にはスライド片７３−２の各傾斜面が接触している。これにより、エジェクトボタン２４の摺動がスライド部７２、７３の接触移動により、エジェクトボタン２４の摺動方向と直交方向にロックバー５８を移動させる。つまり、スライド部７２、７３は、エジェクトボタン２４の移動方向を、ロックバー５８のロック解除方向の移動に変換する方向変換機構であり、ロック解除機構を構成している。このロック解除機構には、エジェクトボタン２４およびロックバー５８のスライド部７２、７３が含まれる。
【００７２】
図１５は、エジェクト機構２０のエジェクトボタン２４の後退状態を示している。エジェクトボタン２４をプッシュすると、コイルバネ１１２が圧縮状態となり、エジェクトボタン２４が後退する。また、スライド部７２、７３が摺動し、ロックバー５８をロック解除位置に移動させる。
【００７３】
＜押上げ機構２２およびその動作＞
【００７４】
図１６は、押上げ機構２２を示している。支点部７８によって支持部８０に支持された押上げレバー６８は、下面側を押上げバネ７６によって可動可能に支持されている。押上げバネ７６の一端は支持ベース４４の支持部８０に固定されている。この押上げバネ７６の他端側には摺動支持孔１１４が形成されている。この摺動支持孔１１４は押上げレバー６８の可動端の背面側に突出した支持ピン１１６に係合させている。これにより、タブレット本体４を押し当てることにより、押上げバネ７６を変形させて押上げ部４８を押し下げることができる。ロック解除時には、押上げバネ７６の復元力により押上げレバー６８を支点部７８を中心に回動させ、押上げ部４８を押し下げることができる。
【００７５】
図１７は、タブレット本体４によって押上げレバー６８が押し下げられた状態を示している。これに対し、図１８は、押上げレバー６８が押上げバネ７６のバネ力を受け、押上げレバー６８の回動により押上げ部４８によりタブレット本体４が押し上げられた状態を示している。
【００７６】
図１９は、挿抜部８でタブレット本体４がロック解除状態にある場合を示している。エジェクトボタン２４のプッシュ操作によりロック機構１８のロックが解除されると、タブレット本体４が押し上げられる。押し上げられたタブレット本体４は、挿抜部８の支持ベース４４、前面支持壁４６−１および背面支持壁４６−２により挿抜部８に取出し可能に維持される。
【００７７】
＜タブレット本体４の挿抜操作＞
【００７８】
図２０は、エジェクトボタン２４のプッシュ操作を示している。挿抜部８に装着されてロック状態に維持されたタブレット本体４を挿抜部８から取り外すには、エジェクトボタン２４をプッシュすればよい。これにより、タブレット本体４はロック状態からロック解除状態となり、挿抜部８上で押し上げられる。これにより、挿抜部８に支持されているタブレット本体４を挿抜部８から外すことができる。
【００７９】
図２１は、タブレット本体４の挿抜操作を示している。ロック解除状態にあるタブレット本体４は挿抜部８に支持されている。これにより、エジェクトボタン２４の操作に連続してタブレット本体４を挿抜部８から外すことができる。つまり、エジェクトボタン２４のプッシュからタブレット本体４の持ち上げまでの一連の動作を片手操作で行うことができる。この場合、挿抜部８からタブレット本体４を外す際に、タブレット本体４を支える補助的操作を必要としないので、取り外し操作が容易である。
【００８０】
また、挿抜部８にタブレット本体４を装着するには、挿抜部８にタブレット本体４を位置決めし、タブレット本体４を押し下げればよい。この装着動作も片手操作で行うことができる。
【００８１】
＜第１の実施の形態における特徴事項および効果＞
【００８２】
(1) クレードル２に対するタブレット本体４の挿抜は、片手操作などの簡易な操作で容易に行うことができる。クレードル２に対するタブレット本体４の挿抜の簡易化とともに、挿抜の操作性が高められる。
【００８３】
(2) クレードル２にタブレット本体４を装着するには挿抜部８にタブレット本体４を位置決めし押し下げればよい。タブレット本体４の押下げにより、待機状態にあるロックバー５８をロック位置にバネ力により移動させ、フック３６−１、３６−２がタブレット本体４の対応するフック係合孔２８−１、２８−２に係合する。これにより、ロック状態と、コネクタ部３４とコネクタ４０との電気的な接続が維持される。
【００８４】
(3) クレードル２からタブレット本体４を外すには、エジェクトボタン２４のプッシュ操作でロック解除を行えばよい。エジェクトボタン２４をプッシュすれば、スライド部７２、７３のスライドによってロックバー５８を移動させることができる。つまり、エジェクトボタン２４の移動方向がスライド部７２、７３のスライドにより直交方向の移動方向に変換され、ロックバー５８がロック位置からロック解除位置に移動する。これにより、タブレット本体４のロックが解除される。
【００８５】
(4) タブレット本体４がロック解除状態に遷移すると、押上げ機構２２の押上げ部４８が後退位置から突出位置に移動し、同時にコネクタ４０のコネクタピン９２がバネ力により移動する。これらの移動はタブレット本体４の押上げ力として作用する。これにより、タブレット本体４は押し上げられる。
【００８６】
(5) タブレット本体４を押し上げた押上げ機構２２の押上げレバー６８はロックバー５８のストッパ６６に当たる。これにより、押上げレバー６８およびロックバー５８はロック解除位置で保持される。ロック解除状態に移行した挿抜部８およびタブレット本体４は、タブレット本体４が押し下げられない限り、ロック状態への移行が阻止される。つまり、ロック状態に移行したタブレット本体４は、挿抜部８に押し下げるか、挿抜部８から外すかのいずれかを選択すればよく、操作の単純化が図られる。
【００８７】
(6) ロック解除により押し上げられたタブレット本体４は、ロック状態と同様の姿勢で挿抜部８に支持される。これにより、エジェクトボタン２４を操作した手でタブレット本体４を外すことができる。つまり、一連の動作を片手操作で行うことができる。
【００８８】
(7) 同一方向に係合する少なくとも一対のフック３６−１、３６−２をロックバー５８に備えたので、摺動方向でロック状態、ロック解除状態に切替えることができる。ロックバー５８の一方向への摺動操作はタブレット本体４の押下げによるバネ力によって行うことができ、他方向への摺動操作はスライド部７２、７３のスライドを媒介としたリンク操作で行うことができる。
【００８９】
(8) タブレット本体４の押上げにはコネクタ４０が備える押上げ力を利用するので、押上げ機構２２の押上げ力はコネクタ４０が備える押上げ力にバランスさせればよい。タブレット本体４の重量をこれら二つの押上げ力でカバーするので、押上げ機構２２側の押上げバネ７６の負担を軽減でき、軽量化できる。
【００９０】
(9) 押上げ機構２２の押上げをコネクタ４０の押上げにバランスさせるので、ロック解除状態のタブレット本体４が挿抜部８やコネクタ４０に半掛かりなど不適正な接続状態になることを防止できる。
【００９１】
(10)  タブレット本体４のロック解除操作と、挿抜部８からタブレット本体４を外す操作を独立させているので、両者の干渉を回避できるとともに、一連の動作を片手操作で簡易に行うことができる。
【００９２】
〔第２の実施の形態〕
【００９３】
図２２は、第２の実施の形態に係るクレードル２およびタブレット本体４を示している。第１の実施の形態では、クレードル２側のロックバー５８にフック３６−１、３６−２を備えている。これらフック３６−１、３６−２をタブレット本体４側に備えてもよい。この場合、ロックバー５８にはタブレット本体４側のフック３６−１、３６−２に係合するフック係合孔２８−１、２８−２を備え、両者を係合させればよい。
【００９４】
このような係合関係であっても、クレードル２の挿抜部８にタブレット本体４を挿抜させ、ロックまたはロック解除を行うことができる。
【００９５】
そして、この実施の形態においてもクレードル２にはエジェクト機構２０や押上げ機構２２を備えればよい。また、ガイドピン３８−１、３８−２はタブレット本体４側に備え、これに対応するガイド挿入孔３０−１、３０−２をクレードル２側に備えてもよい。
【００９６】
〔他の実施の形態〕
【００９７】
(1) 上記実施の形態では、タブレットＰＣおよびクレードルを例示したが、タブレットＰＣ以外の装置本体と該装置本体に結合させる挿抜部とを備える構成であってもよい。
【００９８】
(2) 上記実施の形態において、バネには空気バネを使用してもよく、磁力を併用する構成としてもよい。
【００９９】
(3) 上記実施の形態では、クレードル２側に単一のコネクタ４０を備える場合を説明したが、コネクタ４０と同様に押上げ機能を備える複数のコネクタを設置してもよい。
【０１００】
以上説明したように、本開示の技術の最も好ましい実施の形態などについて説明した。本開示の技術は、上記記載に限定されるものではない。特許請求の範囲に記載され、または発明を実施するための形態に開示された要旨に基づき、当業者において様々な変形や変更が可能である。斯かる変形や変更が、本開示の技術に含まれるものである。
【符号の説明】
【０１０１】
２  クレードル
４  タブレット本体
６  本体部
８  挿抜部
１０  キーボード
１２  ヒンジ部
１４  表示部
１６  タッチパネル
１８  ロック機構
２０  エジェクト機構
２２  押上げ機構
２４  エジェクトボタン
２６  本体フレーム
２８−１、２８−２  フック係合孔
３０−１、３０−２  ガイド挿入孔
３２−１、３２−２  導音孔
３４  コネクタ部
３６−１、３６−２  フック
３８−１、３８−２  ガイドピン
４０  コネクタ
４２−１、４２−２  導音部
４４  支持ベース
４４−１  上側ベース部
４４−２  下側ベース部
４６−１  前面支持壁
４６−２  背面支持壁
４８  押上げ部
５０−１、５０−２  放音部
５２−１、５２−２、５４  窓部
５６  コネクタ取付け孔
５８  ロックバー
６０−１、６０−２、６０−３  バネ
６２  支柱
６４  窓部
６６  ストッパ
６８  押上げレバー
７０  支持軸
７２、７３  スライド部
７２−１、７２−２  スライド片
７３−１、７３−２  スライド片
７４  窓部
７６  押上げバネ
７８  支点部
８０  支持部
８４  基部
８６  鉤部
８８  バネ固定部
９０  コネクタ筐体
９２  コネクタピン
９４  ガイドピン
９６  押上げ機構
９８  コネクタピン支持部
１００  バネ
１０２  支持孔
１０４  フランジ部
１０６  支持突部
１０８  摺動ピン
１１０  摺動孔
１１２  コイルバネ
１１４  摺動支持孔
１１６  支持ピン
【図１】
2015046029.tif 000003
【図２】
2015046029.tif 000004
【図３】
2015046029.tif 000005
【図４】
2015046029.tif 000006
【図５】
2015046029.tif 000007
【図６】
2015046029.tif 000008
【図７】
2015046029.tif 000009
【図８】
2015046029.tif 000010
【図９】
2015046029.tif 000011
【図１０】
2015046029.tif 000012
【図１１】
2015046029.tif 000013
【図１２】
2015046029.tif 000014
【図１３】
2015046029.tif 000015
【図１４】
2015046029.tif 000016
【図１５】
2015046029.tif 000017
【図１６】
2015046029.tif 000018
【図１７】
2015046029.tif 000019
【図１８】
2015046029.tif 000020
【図１９】
2015046029.tif 000021
【図２０】
2015046029.tif 000022
【図２１】
2015046029.tif 000023
【図２２】
2015046029.tif 000024